【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
導電材料で作られた第１の電極層（１３）と、導電材料で作られた第２の電極層（１４）と、加熱層（１５）とを備える、電気加熱装置であって、
前記第１の電極層（１３）と前記第２の電極層（１４）は、互いに対向しており、
前記加熱層（１５）の少なくとも一部（１５’）は、前記第１の電極層（１３）及び前記第２の電極層（１４）の間に、前記第１の電極層（１３）及び前記第２の電極層（１４）と接触して設けられており、
前記装置は、
前記第１の電極層（１３）、前記第２の電極層（１４）、及び前記加熱層（１５）の少なくとも一部（１５’）の中の少なくとも１つの少なくとも１つの領域（２１，２２；２１，２２，２３）が、複数の非導電性部位（３０；３０ａ，３０ｂ；３０ａ，３０ｂ，３０ｃ；３０ｅ；３０’，３０’’）を有し、
複数の非導電性部位（３０；３０ａ，３０ｂ；３０ａ，３０ｂ，３０ｃ；３０ｅ；３０’，３０’’）が、
−前記第１の電極層（１３）、前記第２の電極層（１４）、及び前記加熱層（１５）の前記少なくとも一部（１５’）の中の少なくとも１つの少なくとも１つの他の領域（２２；２２，２３）における前記加熱装置（１０）による熱放射とは異なる前記少なくとも１つの領域（２１）の加熱装置（１０）による熱放射、
及び／または、
−前記第２の電極層（１４）における加熱装置（１０）による熱放射とは異なる前記第１の電極層（１３）における加熱装置（１０）による熱放射、を引き起こすために事前に取り決められることを特徴とする、電気加熱装置。
【請求項２】
前記非導電性部位（３０；３０ａ，３０ｂ；３０ａ，３０ｂ，３０ｃ；３０ｅ；３０’，３０’’）は、前記非導電性部位（３０；３０ａ，３０ｂ；３０ａ，３０ｂ，３０ｃ；３０ｅ；３０’，３０’’）における前記加熱装置（１０）による熱放射を減らすために事前に取り決められた絶縁材料または実質的に絶縁材料で作られたホールまたはキャビティ、ブラインドホールまたはキャビティ、及び要素またはインサート（３００）の中からの少なくとも１つを備える、請求項１に記載の装置。
【請求項３】
前記第１の電極層（１３）、前記第２の電極層（１４）、及び前記加熱層（１５）の前記少なくとも一部（１５’）の中からの少なくとも１つは、少なくとも１つの第１の領域（２１）及び少なくとも１つの第２の領域（２２；２２，２３）を備え、
前記少なくとも１つの第１の領域（２１）は、前記少なくとも１つの第２の領域（２２；２２，２３）の非導電性部位（３０；３０ａ，３０ｂ；３０ａ，３０ｂ，３０ｃ；３０ｅ；３０’，３０’’）の密度と異なる非導電性部位（３０；３０ａ，３０ｂ；３０ａ，３０ｂ，３０ｃ；３０ｅ；３０’，３０’’）の密度を有する、請求項１に記載の装置。
【請求項４】
前記第１の電極層（１３）及び前記第２の電極層（１４）は、前記非導電性部位（３０；３０ａ，３０ｂ；３０ａ，３０ｂ，３０ｃ；３０ｅ；３０’，３０’’）と異なる密度または同じ密度を有する、請求項１に記載の装置。
【請求項５】
前記第１の電極層（１３）及び前記第２の電極層（１４）の少なくとも１つは、互いに異なる形状及び／または大きさを有する複数の前記非導電性部位（３０；３０ａ，３０ｂ；３０ａ，３０ｂ，３０ｃ；３０ｅ；３０’，３０’’）を有し、及び／または、
前記第１の電極層（１３）は、前記第２の電極層（１４）の複数の前記非導電性部位（３０；３０ａ，３０ｂ；３０ａ，３０ｂ，３０ｃ；３０ｅ；３０’，３０’’）の形状、及び／または大きさ、及び／または配置、及び／または密度と異なる形状、及び／または大きさ、及び／または配置、及び／または密度を有する、複数の前記非導電性部位（３０；３０ａ，３０ｂ；３０ａ，３０ｂ，３０ｃ；３０ｅ；３０’，３０’’）を有する、請求項１に記載の装置。
【請求項６】
前記第１の電極層（１３）と前記第２の電極層（１４）は、それぞれ前記加熱層（１５）の前記少なくとも一部（１５’）の対応する領域（２１，２２；２１，２２，２３）と接触し、前記第１の電極層（１３）、前記第２の電極層（１４）、及び前記加熱層（１４）の少なくとも１つの第１の領域（２１）及び少なくとも１つの第２の領域（２２；２２，２３）の中から、多様化された熱放射のために、事前に取り決められた、複数の領域（２１，２２；２１，２２，２３）を有し、
前記第１の電極層（１３）の少なくとも１つの第１の領域（２１）は、前記第１の電極層（１３）の前記少なくとも１つの第２の領域（２２；２２，２３）における前記加熱層（１５）と前記第１の電極層（１３）の間の接触領域と異なる、前記第１の電極層（１３）の少なくとも１つの第１の領域（２１）における前記加熱層（１５）と前記第１の電極層（１３）の間の前記接触領域を画定するための事前に取り決められた、複数の第１の非導電性部位（３０；３０ｂ；３０ｂ，３０ｃ）を有し、
そのような方法で、前記第１の電極層（１３）の前記少なくとも１つの第１の領域（２１）及び前記第２の電極層（１４）の前記少なくとも１つの第１の領域の加熱装置（１０）による熱放射は、前記第１の電極層（１３）の前記少なくとも１つの第２の領域（２２；２２，２３）及び前記第２の電極層（１４）の前記少なくとも１つの第２の領域（２２；２２，２３）の加熱装置（１０）による熱放射とは異なる、請求項１乃至５のいずれか１項に記載の装置。
【請求項７】
前記第１の電極層（１３）の前記少なくとも１つの第２の領域（２２；２２，２３）は、
−実質的に非導電性部位を有さないか、または
−１以上の第２の非導電性部位（３０ｂ；３０ｂ，３０ｃ）を有し、
前記第２の非導電性部位（３０ｂ；３０ｂ，３０ｃ）の総領域と、前記少なくとも１つの第２の領域（２２；２２，２３）の全体の領域の割合は、前記第１の非導電性部位（３０ａ）の総領域と前記少なくとも１つの第１の領域（２１）の全体の領域の割合と異なる、請求項３または６に記載の装置。
【請求項８】
前記第１の電極層（１３）の前記少なくとも１つの第２の領域（２２；２２，２３）は、前記第１の電極層（１３）の前記少なくとも１つの第１の領域（２１）の前記第１の非導電性部位（３０ａ）の周縁の大きさと異なる周縁の大きさを有する、複数の第２の非導電性部位（３０ｂ；３０ｂ，３０ｃ）を有する、請求項３または請求項６に記載の装置。
【請求項９】
−前記第２の電極層（１４）の前記少なくとも１つの第１の領域（２１）及び前記少なくとも１つの第２の領域（２２；２２，２３）は、実質的に非導電性部位を有さないか、または、
−前記第２の電極層（１４）は、
−それぞれの少なくとも１つの第１の領域（２１）に複数の第１の非導電性部位（３０；３０ａ；３０ｂ；３０ｅ）を有するか、または、
−非導電性部位を実質的に有さないそれぞれ少なくとも１つの第２の領域（２２；２２，２３）を有するか、または、
−前記それぞれ少なくとも１つの第１の領域（２１）に複数の第１の非導電性部位及び前記それぞれ少なくとも１つの第２の領域（２２；２２，２３）に１以上の第２の非導電性部位を有し、前記第２の電極層（１４）の前記第２の非導電性部位の総領域と前記少なくとも１つの第２の領域（２２；２２，２３）の全体の領域の割合は、前記第２の電極層（１４）の前記第１の非導電性部位の総領域と前記少なくとも１つの第１の領域（２１）の全体の領域の割合と異なるか、または、
−前記それぞれ少なくとも１つの第１の領域（２１）の複数の第１の非導電性部位と、前記それぞれ少なくとも１つの第１の領域（２１）の複数の第１の非導電性部位の周縁の大きさより小さい周縁の大きさを有する、前記少なくとも１つの第２の領域（２２；２２，２３）の複数の第２の非導電性部位と、を有する、請求項３、６、７及び８のいずれか１項に記載の装置。
【請求項１０】
前記第１の電極層（１３）は、複数のそれぞれの非導電性部位（３０；３０ｂ）を有し、
前記第２の電極層（１４）は、実質的に非導電性部位を有さないか、または前記加熱層（１５）と前記第１の電極層（１３）の間の接触領域が、前記加熱層（１５）と前記第２の電極層（１４）の接触領域と異なり、それによって前記第１の電極層（１３）における前記加熱装置（１０）による熱放射が前記第２の電極層（１４）における加熱装置（１０）による熱放射と異なるような方法で、事前に取り決められた１以上のそれぞれ第２の非導電性部位（３０ａ）を備える、請求項１に記載の装置。
【請求項１１】
前記第１の電極層（１３）及び前記第２の電極層（１４）は、実質的に同様である加熱層（１５）と接触するそれぞれの領域を有し、
前記第１の電極層（１３）の非導電性部位の総領域と第１の電極層の接触領域の割合は、前記第２の電極層（１４）の非導電性部位の総領域と第２の電極層の接触領域の割合と異なる、請求項１乃至１０のいずれか１項に記載の装置。
【請求項１２】
前記第１の電極層（１３）は、前記第２の電極層（１４）の前記複数の非導電性部位と、特に対応する非導電性部位の形状、及び／または大きさ、及び／または配置、及び／または密度に関して、異なる複数の非導電性部位を有する、請求項１０または請求項１１に記載の装置。
【請求項１３】
前記加熱層（１５）の前記少なくとも一部（１５’）は、前記第１の電極層（１３）と前記第２の電極層（１４）と接触し、その少なくとも１つの第１の領域（２１）と少なくとも１つの第２の領域（２２；２２，２３）の中から、多様な熱放射のために事前に取り決められた、複数の領域（２１，２２）を有し、
加熱層（１５）の少なくとも一部（１５’）の少なくとも１つの第１の領域（２１）は、前記第１の電極層（１３）の前記少なくとも１つの第２の領域（２２；２２，２３）における、前記加熱層（１５）の前記少なくとも一部（１５’）と前記第１の電極層（１３）の間の接触領域と異なる、前記加熱層（１５）と前記第１の電極層（１３）の間の接触領域を前記少なくとも１つの第１の領域において、画定し、前記第２の電極層（１４）の前記少なくとも１つの第２の領域（２２；２２，２３）における、前記加熱層（１５）の前記少なくとも一部（１５’）と前記第２の電極層（１４）の間の接触領域と異なる、前記加熱層（１５）と前記第２の電極層（１４）の間の接触領域を前記少なくとも１つの第１の領域（２１）において、画定するために事前に取り決められた複数の非導電性部位（３０’，３０’’）を有し、
そのような方法で、前記加熱層（１５）の前記少なくとも一部（１５’）の前記少なくとも１つの第１の領域（２１）における前記加熱装置（１０）による熱放射は、前記加熱層（１５）の前記少なくとも一部（１５’）の前記少なくとも１つの第２の領域（２２；２２，２３）における前記加熱装置（１０）による熱放射と異なる、請求項１に記載の装置。
【請求項１４】
少なくとも前記スルーホールまたはキャビティまたは少なくとも前記ブラインドホールまたはキャビティは、絶縁または実質的に絶縁及び／または断熱または実質的に断熱の材料（３００）を含む、請求項２に記載の装置。
【請求項１５】
さらに、
−第１のケース層または壁（１１）及び第２のケース層または壁（１２）、
−ポリマベースの材料の少なくとも１つのそれぞれの層または膜によって形成される第１のケース層（１１）及び第２のケース層（１２）、または、
−密閉して接合、好ましくはそれぞれの端部（１１ｂ，１２ｂ，１５ｂ，１５ｃ）に沿って少なくとも接合する第１のケース層または壁（１１）及び第２のケース層または壁（１２）、
の少なくとも１つを備えるケース（１０ａ）を有する、請求項１乃至１４のいずれか１項に記載の装置。
【請求項１６】
前記第１の電極層（１３）及び前記第２の電極層（１４）の少なくとも１つは、導電材料の薄膜、導電材料のメッシュまたはグリッド、または導電材料を含む繊維及び前記加熱層（１５）に堆積される導電材料、の中からの少なくとも１つを備える、請求項１乃至１５のいずれか１項に記載の装置。
【請求項１７】
前記加熱層（１５）は、実質的に傾いた、または先細りしたプロファイルを有する１以上の端部（１５ｂ，１５ｃ）を画定し、
前記加熱装置（１０）は、実質的に傾いたまたは先細りしたプロファイルを有する１以上の対応する端部を画定するケース（１０ａ）を有する、請求項１乃至１６のいずれか１項に記載の装置。
【請求項１８】
前記第１の電極層（１３）、前記第２の電極層（１４）、前記加熱層（１５）、及びケース（１０ａ）は、実質的に平面的で、好ましくは少なくとも一部柔軟な電気ヒータの構造を画定するように、ともに連結される請求項１乃至１７のいずれか１項に記載の装置。
【請求項１９】
導電材料で作られる第１の電極層（１３）、導電材料で作られる第２の電極層（１４）、好ましくは１つの抵抗ポリマベースの材料または正の温度係数またはサーミスタ効果を有する材料で作られた加熱層（１５）を備える電気加熱装置（１０）であって、
前記第１の電極層（１３）と前記第２の電極層（１４）は、互いに対向しており、
前記加熱層（１５）の少なくとも一部（１５’）は、前記第１の電極層（１３）及び前記第２の電極層（１４）の間に、前記第１の電極層（１３）及び前記第２の電極層（１４）と接触して設けられており、
前記第１の電極層（１３）、前記第２の電極層（１４）、及び前記加熱層（１５）の中からの少なくとも１つは、好ましくはスルーホールまたはブラインドキャビティとして構成された複数の非導電性部位（３０；３０ａ，３０ｂ；３０ａ，３０ｂ，３０ｃ；３０ｅ；３０’，３０’’）を有する、電気加熱装置。
【請求項２０】
導電材料で作られた第１の電極層（１３）、導電材料で作られた第２の電極層（１４）、及び加熱層（１５）を備える電気加熱装置（１０）であって、
前記第１の電極層（１３）と前記第２の電極層（１４）は、互いに対向しており、
前記加熱層（１５）の少なくとも一部（１５’）は、前記第１の電極層（１３）及び前記第２の電極層（１４）の間に、前記第１の電極層（１３）及び前記第２の電極層（１４）と接触して設けられており、
前記加熱層（１５）は、少なくとも２つの異なる抵抗材料または正の温度係数またはサーミスタ効果を有する材料を使用することによって、得られる差別化された熱放射のために事前に取り決められた少なくとも１つの第１の領域（２１）と少なくとも１つの第２の領域（２２）を有し、前記第１の領域は、第１の抵抗材料または正の温度係数またはサーミスタ効果を有する材料の塊を備え、その中に第２の抵抗材料（３００）または正の温度係数またはサーミスタ効果を有する材料で作られる、１以上の領域またはアイランド（３００’，３００’’）を画定し、前記第２の材料（３００）は、前記第１の材料の温度または熱放射量と異なる温度または熱放射量を有し、
そのような方法で、前記少なくとも１つの第１の領域（２１）の前記加熱層（１５）による熱放射は、前記少なくとも１つの第２の領域（２２；２２，２３）の前記加熱層（１５）による熱放射と異なり、
好ましくは、前記第１の材料は、前記第２の材料（３００）が配置されるホールまたはキャビティ（３０’，３０’’）が定義される層を形成する、電気加熱装置。
【請求項２１】
請求項１乃至２０のいずれか１項に記載された電気加熱装置（１０）を有する、特に容器またはタンク（１）またはタンク部品（５０）などの自動車部品。
【請求項２２】
多様化された熱放射のための事前に取り決められた複数の領域を有する電気加熱装置（１０）を得る方法であって、
ｉ）好ましくは、少なくとも１つの抵抗ポリマベースの材料または正の温度係数またはサーミスタ効果を有する材料で作られた加熱層（１５）を提供するステップであって、前記加熱層（１５）は、互いに対向する第１の側面及び第２の側面を有する、加熱層を提供するステップと、
ｉｉ）前記加熱層（１５）の前記第１及び第２の側面に、それぞれ導電材料で作られた第１の電極層（１３）と第２の電極層（１４）を関連するステップであって、前記第１の電極層（１３）と前記第２の電極層（１４）は、互いに対向しており、前記加熱層（１５）の少なくとも一部（１５’）は、前記第１の電極層（１３）及び前記第２の電極層（１４）の間に、前記第１の電極層（１３）及び前記第２の電極層（１４）と接触して設けられている、関連するステップと、を備え、
方法は、前記加熱装置（１０）の異なる領域または異なる面（２１，２２；２１，２２，２３）における前記加熱装置（１０）による多様な熱放射を引き起こすために、事前に取り決められた、複数の非導電性部位（３０；３０ａ，３０ｂ；３０ａ，３０ｂ，３０ｃ；３０ｅ；３０’，３０’’）を備える、前記第１の電極層（１３），前記第２の電極層（１４），及び前記加熱層（１５）の中から少なくとも１つを提供する工程を備える、方法。
【請求項２３】
多様化された熱放射のための事前に取り決められた複数の領域を有する電気加熱装置（１０）を得る方法であって、
ｉ）互いに対向する第１の側面及び第２の側面を有する、加熱層（１５）を提供するステップと、
ｉｉ）前記加熱層（１５）の前記第１及び第２の側面に、それぞれ導電材料で作られた第１の電極層（１３）と第２の電極層（１４）を関連するステップであって、前記第１の電極層（１３）と前記第２の電極層（１４）は、互いに対向しており、前記加熱層（１５）の少なくとも一部（１５’）は、前記第１の電極層（１３）及び前記第２の電極層（１４）の間に、前記第１の電極層（１３）及び前記第２の電極層（１４）と接触して設けられている、関連するステップと、を備え、
方法は、少なくとも２つの異なる抵抗材料または正の温度係数またはサーミスタ効果を有する材料で前記加熱層（１５）を作る工程であって、その少なくとも１つの第１の材料の間に、第２の材料（３００）で作られた１以上の領域またはアイランド（３００’，３００’’）が画定される前記加熱層を作る工程を備え、前記第２の材料（３００）は、前記第１の材料の熱放射量と異なる熱放射量を有する、方法。
【請求項２４】
導電材料で作られた第１の電極層（１３）、導電材料で作られた第２の電極層（１４）、及び加熱層（１５）を備える電気加熱装置（１０）であって、
前記第１の電極層（１３）と前記第２の電極層（１４）は、互いに対向しており、
前記加熱層（１５）の少なくとも一部（１５’）は、前記第１の電極層（１３）及び前記第２の電極層（１４）の間に、前記第１の電極層（１３）及び前記第２の電極層（１４）と接触して設けられており、
前記第１の電極層（１３）、前記第２の電極層（１４）、及び前記加熱層（１５）の中の少なくとも１つは、複数の非導電性部位（３０；３０ａ，３０ｂ；３０ａ，３０ｂ，３０ｃ；３０ｅ；３０’，３０’’）を有する及び／または第１のケース層（１１）及び第２のケース層（１２）の少なくとも１つで少なくとも一部が被覆されている及び／または前記第１のケース層（１１）及び前記第２のケース層（１２）の１つの少なくとも一部は、前記加熱層（１５）のポリマベースの材料の対応する部分に接合されるまたは溶接されるまたは結合される、電気加熱装置。